【手続補正書】
【提出日】平成24年11月15日(2012.11.15)
【手続補正１】
【補正対象書類名】特許請求の範囲
【補正対象項目名】全文
【補正方法】変更
【補正の内容】
【特許請求の範囲】
【請求項１】
第１のテレビ信号が入力され、前記第１のテレビ信号のデジタル映像データ及び前記第１のテレビ信号の第１の垂直同期信号を出力するビデオデコーダーと、
前記デジタル映像データを記憶するフレームメモリと、
第２の垂直同期信号に基づき前記フレームメモリから前記デジタル映像データを読み出し、読み出された前記デジタル映像データ及び前記第２の垂直同期信号を出力する出力制御部と、
前記出力制御部から出力された前記デジタル映像データを、前記第２の垂直同期信号に同期して表示する表示器と、
１フレームの前記デジタル映像データが前記フレームメモリに書き込まれた後に、前記出力制御部が前記フレームメモリに書き込まれた前記１フレームの前記デジタル映像データを読み出すようするための情報として、前記第２の垂直同期信号と前記第１の垂直同期信号のタイミングのずれ情報であるタイミング情報を記憶するタイミング情報記憶部と、
前記ビデオデコーダーから前記第１の垂直同期信号が前記制御部に入力されるたびに、前記第１の垂直同期信号と前記タイミング情報に基づいて、前記第２の垂直同期信号を出力させるように、前記出力制御部を制御する制御部と
を備え、
前記タイミング情報記憶部は、１フレームの前記デジタル映像データの前記フレームメモリへの書き込みが完了する前に、前記デジタル映像データの読み出しを開始させる前記第１の垂直同期信号と前記第２の垂直同期信号のタイミングのずれ情報であるタイミング禁止情報を記憶し、
前記制御部は、前記第１の垂直同期信号、前記タイミング情報、及び前記タイミング禁止情報に基づいて、前記第２の垂直同期信号を出力させるよう制御する
ことを特徴とする映像表示装置。
【請求項２】
前記出力制御部は、前記表示器の垂直描画期間における非表示部分のライン数を増減することによって、前記第２の垂直同期信号のタイミングを調整することを特徴とする請求項１に記載の映像表示装置。
【請求項３】
前記制御部は、前記第２の垂直同期信号の周期を、前記第１の垂直同期信号の周期と前記表示器が対応可能な垂直同期信号の周期の最小公倍数の周期にすることを特徴とする請求項１に記載の映像表示装置。
【請求項４】
第２のテレビ信号及び第３のテレビ信号が入力され、前記制御部からの制御信号に応じて、前記第２のテレビ信号又は前記第３のテレビ信号のいずれかを前記第１のテレビ信号として前記ビデオデコーダーに供給する切り替え部と、
前記第２のテレビ信号の垂直同期信号と前記第３のテレビ信号の垂直同期信号のタイミングのずれを記憶するずれ記憶部と
を備え、
前記出力制御部は、前記表示器の何ライン目を描画しているのかを示すライン情報を取得するライン情報取得部を含み、
前記切り替え部が、出力される信号を前記第２のテレビ信号から前記第３のテレビ信号に切り替える前に、
前記制御部は、前記ずれ記憶部に記憶されているずれ情報に基づき、前記第２のテレビ信号の垂直同期信号と前記第３のテレビ信号の垂直同期信号のずれを減少させる方向に、前記出力制御部から出力される前記第２の垂直同期信号を制御し、
前記ずれ情報の任意の部分まで制御が完了した時点で、前記制御部は前記切り替え部に、出力される信号を前記第２のテレビ信号から前記第３のテレビ信号に切り替えるように構成する
ことを特徴とする請求項１乃至３のいずれか１項に記載の映像表示装置。
【請求項５】
前記制御部は、
エレベータかごの運行制御を行うエレベータ制御部からのエレベータ速度情報を受け取り、
前記エレベータ速度情報に基づくタイミングで、前記切り替え部から出力される信号を前記第２のテレビ信号から前記第３のテレビ信号に切り替える
ことを特徴とする請求項４に記載の映像表示装置。
【請求項６】
前記制御部は、前記エレベータ速度情報に基づき、エレベータ速度の範囲内で前記第２の垂直同期信号の調整が完了するように、前記第２の垂直同期信号を調整するパラメータを制御する手段を有することを特徴とする請求項５に記載の映像表示装置。
【請求項７】
前記制御部は、
エレベータかごの運行制御を行うエレベータ制御部からのエレベータかごが停止する予定の階床の情報とエレベータかごの現在の位置情報を受け取り、
エレベータかごが停止する予定の階床の情報とエレベータかごの現在の位置情報の差に基づき、前記第２のテレビ信号から、前記第３のテレビ信号の切り替え制御を行う
ことを特徴とする請求項４乃至６のいずれか１項に記載の映像表示装置。
【請求項８】
前記制御部は、前記第２のテレビ信号を第１のテレビ信号として出力するように前記切り替え部を制御し、
前記第１のテレビ信号が前記ビデオデコーダーに入力され、前記ビデオデコーダーから出力される第１の垂直同期信号に基づいて、前記制御部が前記出力制御部から前記タイミング情報に基づくタイミングだけずらすように第２の垂直同期信号を出力するように調整を完了した状態から、
前記制御部は、前記第３のテレビ信号を第１のテレビ信号として出力するように前記切り替え部を制御し、
前記第３のテレビ信号が前記切り替え部を介して第１のテレビ信号として前記ビデオデコーダーに入力し、
前記制御部は、前記ビデオデコーダーから出力される第１の垂直同期信号を受信したときに、前記ライン情報取得部からライン情報を取得し、
前記ライン情報を前記第２のテレビ信号から第３のテレビ信号の垂直同期信号のずれ情報として、前記ずれ記憶部に記憶する
ことを特徴とする請求項１乃至７のいずれか１項に記載の映像表示装置。
【手続補正２】
【補正対象書類名】明細書
【補正対象項目名】０００９
【補正方法】変更
【補正の内容】
【０００９】
本発明に係る映像表示装置は、第１のテレビ信号が入力され、前記第１のテレビ信号のデジタル映像データ及び前記第１のテレビ信号の第１の垂直同期信号を出力するビデオデコーダーと、前記デジタル映像データを記憶するフレームメモリと、第２の垂直同期信号に基づき前記フレームメモリから前記デジタル映像データを読み出し、読み出された前記デジタル映像データ及び前記第２の垂直同期信号を出力する出力制御部と、前記出力制御部から出力された前記デジタル映像データを、前記第２の垂直同期信号に同期して表示する表示器と、１フレームの前記デジタル映像データが前記フレームメモリに書き込まれた後に、前記出力制御部が前記フレームメモリに書き込まれた前記１フレームの前記デジタル映像データを読み出すようするための情報として、前記第２の垂直同期信号と前記第１の垂直同期信号のタイミングのずれ情報であるタイミング情報を記憶するタイミング情報記憶部と、前記ビデオデコーダーから前記第１の垂直同期信号が前記制御部に入力されるたびに、前記第１の垂直同期信号と前記タイミング情報に基づいて、前記第２の垂直同期信号を出力させるように、前記出力制御部を制御する制御部とを備え、前記タイミング情報記憶部は、１フレームの前記デジタル映像データの前記フレームメモリへの書き込みが完了する前に、前記デジタル映像データの読み出しを開始させる前記第１の垂直同期信号と前記第２の垂直同期信号のタイミングのずれ情報であるタイミング禁止情報を記憶し、前記制御部は、前記第１の垂直同期信号、前記タイミング情報、及び前記タイミング禁止情報に基づいて、前記第２の垂直同期信号を出力させるよう制御することを特徴としている。